(57)【要約】【課題】基板間を接続するコネクタ装置の従来のものは、単に、基板側コネクタの端子の凸状の接点が、ケーブル側コネクタの端子の表面に弾性接触することで、嵌合状態を維持しているため、振動等により生じる力が基板側コネクタ、ケーブル側コネクタ及びケーブル等に加わることで、嵌合状態が解除されて当該コネクタが抜けてしまうおそれがあった。【解決手段】本発明では、ケーブル側コネクタ（第一コネクタ）の柱状の端子の表面に、凸状又は凹状の嵌合部を設け、基板側コネクタ（第二コネクタ）のＵ字状の端子の固定接触片に、凹状又は凸状の被嵌合部を設けて、コネクタ同士を接続した際に、ケーブル側コネクタの端子の表面に設けた嵌合部が、基板側コネクタの端子の固定接触片に設けた被嵌合部に嵌り合うことで、当該コネクタが抜けることを防止する力（抜去力）を強化した構造を有するコネクタ装置を提供する。【選択図】図６
2018092780.tif 000002
【特許請求の範囲】
【請求項１】
プラグ端子及び該プラグ端子を支持するプラグハウジングを少なくとも備え、ケーブルと接続される第一コネクタと、
レセプタクル端子及び該レセプタクル端子を支持するレセプタクルハウジングを少なくとも備え、基板に実装される第二コネクタと
を含み、
前記プラグ端子は、一方の側に接触面と、他方の側に嵌合部を備え、
前記レセプタクル端子は、一方の側に接点部を設けた弾性接触片と、他方の側に被嵌合部を設けた固定接触片を備え、
前記第一コネクタと前記第二コネクタとが接続された際に、前記プラグ端子の一部が前記レセプタクル端子の前記弾性接触片と前記固定接触片との間に配置されるとともに、前記レセプタクル端子の前記弾性接触片により生じる弾性力によって、前記プラグ端子の前記接触面が、前記レセプタクル端子の前記接点部で押され、
前記プラグ端子の前記嵌合部が、前記レセプタクル端子の前記被嵌合部に嵌め込まれるように構成されたこと
を特徴とするコネクタ装置。
【請求項２】
前記固定接触片は、前記レセプタクルハウジングの内壁に当接して外側に拡がらないように構成されたこと
を特徴とする請求項１に記載のコネクタ装置。
【請求項３】
前記プラグハウジングは、一方の側から前記プラグ端子の前記接触面を露出し、他方の側から前記プラグ端子の前記嵌合部を露出した嵌合凸部を備え、
前記レセプタクルハウジングは、前記嵌合凸部を受け入れて嵌合するように構成された嵌合凹部を備え、
前記レセプタクル端子の前記弾性接触片の少なくとも一部は、前記嵌合凹部の一方の内壁から露出し、前記固定接触片の少なくとも一部は、前記一方の内壁と対向する他方の内壁から露出したこと
を特徴とする請求項１又は２に記載のコネクタ装置。
【請求項４】
前記プラグハウジングは、前記プラグ端子を２つ以上含み、
前記嵌合部は、前記２つ以上のプラグ端子のうち少なくとも１つに備え、
前記レセプタクルハウジングは、前記プラグ端子と同じ数の前記レセプタクル端子を含み、
前記被嵌合部は、前記嵌合部を備えた前記プラグ端子と接続される前記レセプタクル端子に備えられたこと
を特徴とする請求項１から３のいずれか１項に記載のコネクタ装置。
【請求項５】
前記嵌合部は凹状に形成され、前記被嵌合部は凸状に形成されたこと
を特徴とする請求項１から４のいずれか１項に記載のコネクタ装置。
【請求項６】
前記嵌合部は凸状に形成され、前記被嵌合部は凹状に形成されたこと
を特徴とする請求項１から４のいずれか１項に記載のコネクタ装置。
【請求項７】
前記プラグハウジング及び前記レセプタクルハウジングは、前記プラグ端子及び前記レセプタクル端子をそれぞれ４つ含み、
前記プラグ端子のすべてに前記嵌合部を備え、前記レセプタクル端子のすべてに前記被嵌合部を備えられたこと
を特徴とする請求項１から６のいずれか１項に記載のコネクタ装置。
【請求項８】
前記プラグハウジングは、前記嵌合凸部にプラグ係合部を備え、
前記レセプタクルハウジングは、前記嵌合凹部の内壁にレセプタクル係合部を備え、
前記嵌合凸部が前記嵌合凹部に挿入された際に、前記プラグ係合部が前記レセプタクル係合部と係り合うように構成されたこと
を特徴とする請求項１から７のいずれか１項に記載のコネクタ装置。
【請求項９】
前記プラグ係合部は、前記嵌合凸部から前記プラグ端子の前記接触面及び前記嵌合部を露出した部分を間に挟んだ両側側部にそれぞれ備えられ、
前記レセプタクル係合部は、前記嵌合凹部から前記レセプタクル端子の前記弾性接触片を露出した内壁及び前記固定接触片を露出した内壁を間に挟んで対向する内壁にそれぞれ備えられたこと
を特徴とする請求項８に記載のコネクタ装置。
【請求項１０】
前記第二コネクタは、前記第一コネクタとの嵌合方向が基板に対して平行となる向きで、前記基板に実装されたこと
を特徴とする請求項１から９のいずれか１項に記載のコネクタ装置。
【請求項１１】
前記レセプタクル端子は、基部を介してＵ字状に、前記弾性接触片と前記固定接触片を備え、
前記弾性接触片は、前記基板から遠い上側にあり、前記固定接触片は前記基板から近い下側にあること
を特徴とする請求項１０に記載のコネクタ装置。
【請求項１２】
前記レセプタクル端子は、基部を介してＵ字状に、前記弾性接触片と前記固定接触片を備え、
前記弾性接触片は、前記基板から近い下側にあり、前記固定接触片は前記基板から遠い上側にあること
を特徴とする請求項１０に記載のコネクタ装置。
【請求項１３】
前記第二コネクタは、前記第一コネクタとの嵌合方向が基板に対して垂直となる向きで、前記基板に実装されたこと
を特徴とする請求項１から９のいずれか１項に記載のコネクタ装置。
【発明の詳細な説明】
【技術分野】
【０００１】
本発明は、基板間を接続するための基板側コネクタとケーブル側コネクタからなるコネクタ装置に関する。具体的には、基板側コネクタ及びケーブル側コネクタにおける抜け防止構造に関する。
【背景技術】
【０００２】
基板間を接続する従来のコネクタ装置は、基板上に設けられた基板側コネクタと、当該基板側コネクタと嵌合するケーブル側コネクタからなる。基板側コネクタにケーブル側コネクタを差し込んだ際に、基板側コネクタのハウジング内に保持された複数のＵ字状（フォーク状）の端子に、ケーブル側コネクタのハウジング内に保持された複数の柱状（棒状）の端子が嵌合されて電気的に接続される。
【０００３】
例えば、特開平９−３２０６９３号公報（特許文献１）に記載された基板側コネクタである雌コネクタとケーブル側コネクタである雄コネクタからなるコネクタ装置では、雌コネクタのＵ字状の雌コンタクトの上下に設けられた凸状の接触部（コンタクトビーム）に、雄コネクタの棒状の雄コンタクトの上下面が挟み込まれる形で弾性接触することで電気的に接続される。
【先行技術文献】
【特許文献】
【０００４】
【特許文献１】特開平９−３２０６９３号公報
【発明の概要】
【発明が解決しようとする課題】
【０００５】
上述の従来例のように、基板間を接続するコネクタ装置は、単に、基板側コネクタの端子の凸状の接点が、ケーブル側コネクタの端子の表面に弾性接触することで、嵌合状態を維持しているため、振動等により生じる力が基板側コネクタ、ケーブル側コネクタ及びケーブル等に加わることで、嵌合状態が解除されて当該コネクタが抜けてしまうおそれがある。例えば、工作機械やロボットアーム等に用いられるサーボ機構の内部基板では、緩急のある動作や振動等により生じる力が基板側コネクタ、ケーブル側コネクタ及びケーブル等に頻繁に加わるため、基板側コネクタの端子とケーブル側コネクタの端子の嵌合状態を維持する弾性力が弱まることで、最終的に互いの端子が接触していない状態になるという問題が生じ得る。
【０００６】
そこで、ケーブル側コネクタ（第一コネクタ）の柱状の端子の表面に、凸状又は凹状の嵌合部を設け、基板側コネクタ（第二コネクタ）のＵ字状の端子の固定接触片に、凹状又は凸状の被嵌合部を設けて、コネクタ同士を接続した際に、ケーブル側コネクタの端子の表面に設けた嵌合部が、基板側コネクタの端子の固定接触片に設けた被嵌合部に嵌り合うことで、当該コネクタが抜けることを防止する力（抜去力）を強化した構造を有するコネクタ装置を提供する。
【課題を解決するための手段】
【０００７】
本発明の１つの実施形態に係るコネクタ装置は、プラグ端子及び該プラグ端子を支持するプラグハウジングを少なくとも備え、ケーブルと接続される第一コネクタと、
レセプタクル端子及び該レセプタクル端子を支持するレセプタクルハウジングを少なくとも備え、基板に実装される第二コネクタと
を含み、
前記プラグ端子は、一方の側に接触面と、他方の側に嵌合部を備え、
前記レセプタクル端子は、一方の側に接点部を設けた弾性接触片と、他方の側に被嵌合部を設けた固定接触片を備え、
前記第一コネクタと前記第二コネクタとが接続された際に、前記プラグ端子の一部が前記レセプタクル端子の前記弾性接触片と前記固定接触片との間に配置されるとともに、前記レセプタクル端子の前記弾性接触片により生じる弾性力によって、前記プラグ端子の前記接触面が、前記レセプタクル端子の前記接点部で押され、
前記プラグ端子の前記嵌合部が、前記レセプタクル端子の前記被嵌合部に嵌め込まれるように構成されたことを特徴とする。
【０００８】
本発明に係るコネクタ装置の好ましい実施形態として、
前記固定接触片は、前記レセプタクルハウジングの内壁に当接して外側に拡がらないように構成されたことを特徴とする。
【０００９】
本発明に係るコネクタ装置の好ましい実施形態として、
前記プラグハウジングは、一方の側から前記プラグ端子の前記接触面を露出し、他方の側から前記プラグ端子の前記嵌合部を露出した嵌合凸部を備え、
前記レセプタクルハウジングは、前記嵌合凸部を受け入れて嵌合するように構成された嵌合凹部を備え、
前記レセプタクル端子の前記弾性接触片の少なくとも一部は、前記嵌合凹部の一方の内壁から露出し、前記固定接触片の少なくとも一部は、前記一方の内壁と対向する他方の内壁から露出したことを特徴とする。
【００１０】
本発明に係るコネクタ装置の好ましい実施形態として、
前記プラグハウジングは、前記プラグ端子を２つ以上含み、
前記嵌合部は、前記２つ以上のプラグ端子のうち少なくとも１つに備え、
前記レセプタクルハウジングは、前記プラグ端子と同じ数の前記レセプタクル端子を含み、
前記被嵌合部は、前記嵌合部を備えた前記プラグ端子と接続される前記レセプタクル端子に備えられたことを特徴とする。
【００１１】
本発明に係るコネクタ装置の好ましい実施形態として、
前記嵌合部は凹状に形成され、前記被嵌合部は凸状に形成されたことを特徴とする。
【００１２】
本発明に係るコネクタ装置の好ましい実施形態として、
前記嵌合部は凸状に形成され、前記被嵌合部は凹状に形成されたことを特徴とする。
【００１３】
本発明に係るコネクタ装置の好ましい実施形態として、
前記プラグハウジング及び前記レセプタクルハウジングは、前記プラグ端子及び前記レセプタクル端子をそれぞれ４つ含み、
前記プラグ端子のすべてに前記嵌合部を備え、前記レセプタクル端子のすべてに前記被嵌合部を備えられたことを特徴とする。
【００１４】
本発明に係るコネクタ装置の好ましい実施形態として、
前記プラグハウジングは、前記嵌合凸部にプラグ係合部を備え、
前記レセプタクルハウジングは、前記嵌合凹部の内壁にレセプタクル係合部を備え、
前記嵌合凸部が前記嵌合凹部に挿入された際に、前記プラグ係合部が前記レセプタクル係合部と係り合うように構成されたことを特徴とする。
【００１５】
本発明に係るコネクタ装置の好ましい実施形態として、
前記プラグ係合部は、前記嵌合凸部から前記プラグ端子の前記接触面及び前記嵌合部を露出した部分を間に挟んだ両側側部にそれぞれ備えられ、
前記レセプタクル係合部は、前記嵌合凹部から前記レセプタクル端子の前記弾性接触片を露出した内壁及び前記固定接触片を露出した内壁を間に挟んで対向する内壁にそれぞれ備えられたことを特徴とする。
【００１６】
本発明に係るコネクタ装置の好ましい実施形態として、
前記レセプタクル端子は、基部を介してＵ字状に、前記弾性接触片と前記固定接触片を備え、
前記弾性接触片は、前記基板から遠い上側にあり、前記固定接触片は前記基板から近い下側にあることを特徴とする。
【００１７】
本発明に係るコネクタ装置の好ましい実施形態として、
前記レセプタクル端子は、基部を介してＵ字状に、前記弾性接触片と前記固定接触片を備え、
前記弾性接触片は、前記基板から近い下側にあり、前記固定接触片は前記基板から遠い上側にあることを特徴とする。
【００１８】
本発明に係るコネクタ装置の好ましい実施形態として、
前記第二コネクタは、前記第一コネクタとの嵌合方向が基板に対して垂直となる向きで、前記基板に実装されたことを特徴とする。
【発明の効果】
【００１９】
ケーブル側コネクタ（第一コネクタ）のプラグ端子の一方の側に接触面を設け、他方の側に嵌合部を設け、基板側コネクタ（第二コネクタ）のレセプタクル端子の一方の側の弾性接触片に接点部を設け、他方の側の固定接触片に被係合部を設けたことで、コネクタ同士を接続した際に、レセプタクル端子の弾性接触片により生じる弾性力によって、弾性接触片に設けられた接点部がプラグ端子の接触面を押し込み、プラグ端子の嵌合部が、レセプタクル端子の固定接触片に設けられた被嵌合部に強く嵌め込まれるため、振動等により生じる力が、基板側コネクタ、ケーブル側コネクタ及びケーブル等に加わっても、コネクタ同士の嵌合状態を維持でき、当該コネクタが抜けることを防止することができる。
【図面の簡単な説明】
【００２０】
【図１】本発明の一実施形態に係るコネクタ装置を示す図である。
【図２】コネクタ装置の接続前の状態を示す上面図である。
【図３】図２に示す直線Ａ−Ａでコネクタ装置を基板に対して垂直に切断した断面図である。
【図４】図２に示す直線Ｂ−Ｂでコネクタ装置を基板に対して垂直に切断した断面図である。
【図５】コネクタ装置の接続後の状態を示す上面図である。
【図６】図５に示す直線Ａ−Ａでコネクタ装置を基板に対して垂直に切断した断面図である。
【図７】図５に示す直線Ｂ−Ｂでコネクタ装置を基板に対して垂直に切断した断面図である。
【図８】基板側コネクタのレセプタクル端子を示す斜視図である。
【図９】ケーブル側コネクタのプラグ端子を示す斜視図である。
【図１０】本発明の別の実施形態に係るコネクタ装置の接続前の状態を示す図である。
【図１１】図１０に示す直線Ａ−Ａでコネクタ装置を基板に対して垂直に切断した断面図である。
【図１２】図１０に示す直線Ｂ−Ｂでコネクタ装置を基板に対して垂直に切断した断面図である。
【発明を実施するための形態】
【００２１】
以下に図面を参照して、本発明の一実施形態について説明する。なお、実施の形態を説明するための全ての図において、同一部材には原則として同一の符号を付し、その繰り返しの説明は省略する。
【００２２】
図１は、本発明の一実施形態に係るコネクタ装置を示す。コネクタ装置１は、基板側コネクタ（第二コネクタ）２０とケーブル側コネクタ（第一コネクタ）４０を含む。基板側コネクタ２０は、レセプタクルハウジング２１と、レセプタクル端子３０と、補強金具２５から構成される。レセプタクルハウジング２１は、基板１０に対して、基板側コネクタ２０とケーブル側コネクタ４０との嵌合方向が実質的に平行となる向きで、基板１０に実装される。レセプタクルハウジング２１は、絶縁性の樹脂から成型され、ケーブル側コネクタ４０の嵌合凸部４２を受け入れて、嵌合するように構成された嵌合凹部２２を備える。嵌合凹部２２は、矩形状に成型されて４つの内壁を有するが、当該形状に限定されるものではなく、嵌合凸部４２と嵌合できる形状であればどのような形状でもよい。
【００２３】
嵌合凹部２２の内壁は、一方の側の内壁からレセプタクル端子３０の弾性接触片３１（図３参照）の少なくとも一部を露出し、他方の側の内壁からレセプタクル端子３０の固定接触片３２（図３参照）の少なくとも一部を露出するように形成される。図１（及び図３）に示す実施形態では、基板１０から遠い側（上側）の内壁から弾性接触片３１を露出し、基板１０から近い側（下側）の内壁から固定接触片３２を露出する。
【００２４】
嵌合凹部２２からレセプタクル端子３０の弾性接触片３１（図３参照）を露出した内壁及び固定接触片３２（図３参照）を露出した内壁を間に挟んで対向する内壁に、コネクタの嵌合方向に沿って溝状に形成され、嵌合凸部４２のプラグ係合部４３と係合するように構成されたレセプタクル係合部２３が設けられる。図１に示す実施形態では、上側の内壁と下側の内壁を間に挟んで向き合う左右両側の内壁に、レセプタクル係合部２３が設けられる。
【００２５】
レセプタクル係合部２３は、溝状の形状に限定されるものではなく、プラグ係合部４３の形状に合わせて構成することができる。例えば、レセプタクル係合部２３をコネクタの嵌合方向に沿って畝状に形成することもできる。
【００２６】
ガイド部２４は、嵌合凹部２２の内壁に、コネクタの嵌合方向に沿って溝状に形成され、嵌合凸部４２の位置合わせ部４４を受け入れるように構成される。ガイド部２４の形状は、溝状に限定されるものではなく畝状であってもよい。また、ガイド部２４は、嵌合凹部２２の上側の内壁に設けられるが、この位置に限定されるものではなく、嵌合凸部４２の位置に対応して、嵌合凹部２２の内壁に設けることができる。
【００２７】
図１に示す実施形態では、４つのレセプタクル端子３０が、コネクタの嵌合方向に対して直交し、基板１０に対して水平な方向に沿って並べられるが、４つに限定されるものではなく、２つ以上の端子を備えることができる。
【００２８】
レセプタクルハウジング２１の側部には、基板側コネクタ２０の基板１０への実装を補強するための補強金具２５が設けられる。補強金具２５は、コネクタの嵌合方向に対して直交する方向にある両側側部にそれぞれ設けられ、基板１０上の実装用パッド２６に実装される。基板側コネクタ２０の基板への実装の強度が十分であれば、補強金具２５を設けなくてもよい。
【００２９】
ケーブル側コネクタ４０は、プラグハウジング４１とプラグ端子５０から構成され、ケーブル１２と接続される。プラグハウジング４１は、絶縁性の樹脂から成型され、基板側コネクタ２０の嵌合凹部２２に挿入して、嵌合するように構成された嵌合凸部４２を、ケーブル１２の延出方向の先端側に備える。嵌合凸部４２は、矩形状に成型されて４つの外壁を有するが、当該形状に限定されるものではなく、嵌合凹部２２と嵌合できる形状であればどのような形状でもよい。
【００３０】
嵌合凸部４２の外壁は、一方の側の外壁からプラグ端子５０の接触面５１（図３参照）を露出し、他方の側の外壁からプラグ端子５０の嵌合部５３（図３参照）を露出するように形成される。図１（及び図３）に示す実施形態では、上側の外壁から接触面５１を露出し、下側の外壁から嵌合部５３を露出する。
【００３１】
嵌合凸部４２の両側の側壁に、コネクタの嵌合方向に沿って畝状に形成され、嵌合凹部２２のレセプタクル係合部２３と係合するように構成されたプラグ係合部４３が設けられる。図１に示す実施形態では、プラグ端子５０の接触面５１（図３参照）を露出した外壁及び嵌合部５３（図３参照）を露出した外壁ではなく、コネクタの嵌合方向に対して直交して並べられた４つのプラグ端子５０の配列方向にある両側の外壁（側壁）に、それぞれプラグ係合部４３が設けられる。
【００３２】
プラグ係合部４３は、畝状の形状に限定されるものではなく、レセプタクル係合部２３の形状に合わせて構成することができる。例えば、プラグ係合部４３をコネクタの嵌合方向に沿って溝状に形成することもできる。
【００３３】
位置合わせ部４４は、嵌合凸部４２の外壁に、コネクタの嵌合方向に沿ったリブのように畝状に形成され、嵌合凹部２２のガイド部２４に受け入れられるように構成される。位置合わせ部４４の形状は、畝状に限定されるものではなく溝状であってもよい。また、位置合わせ部２４は、嵌合凸部４２の上側の外壁に設けられるが、この位置に限定されるものではなく、嵌合凹部２２の位置に対応して、嵌合凸部４２の外壁に設けることができる。ガイド部２４を受け入れる位置合わせ部４４を設けたことにより、基板側コネクタ２０とケーブル側コネクタ４０の接続時に、コネクタ同士のズレをなくして位置を合せて、嵌合凹部２２に嵌合凸部４２をスムーズに差し込むことができる。
【００３４】
図１に示す実施形態では、４つのプラグ端子５０が、コネクタの嵌合方向に対して直交する方向に沿って並べられるが、４つに限定されるものではなく、２つ以上の端子を備えることができる。また、基板側コネクタ２０は、ケーブル側コネクタ４０との嵌合方向が基板１０に対して平行となる向きで、基板１０に実装されているが、これに限定されるものではなく、後述する図１０から図１２に示す別の実施形態のように、基板１０に対して垂直となる向きで実装することができる。
【００３５】
図２は、コネクタ装置の接続前の状態を示す上面図である。基板１０には、基板側コネクタ２０の補強金具２５を実装する実装用パッド２６の他に、レセプタクル端子３０の実装部３６（図３参照）を実装して、電気的に接続するための実装用パッド２７が設けられる。直線Ａ−Ａでコネクタ装置１を基板１０に対して垂直に切断した断面図を図３に示し、直線Ｂ−Ｂでコネクタ装置１を基板１０に対して垂直に切断した断面図を図４に示す。
【００３６】
図３に示されるように、レセプタクル端子３０の弾性接触片３１は、レセプタクルハウジング２１の一方の側（図３では上側）の内壁に当接しておらず、弾性を有することができる。固定接触片３２は、外側に拡がらないように、レセプタクルハウジング２１の他方の側（図３では下側）の内壁に当接して支持される。レセプタクルハウジング２１の下側の内壁であって、固定接触片３２を当接していない部分の内壁には、プラグハウジング４１のランス部４５を受け入れるように、平面状のランス受部２８が設けられる。ランス受部２８の端部にはテーパーを設けることもできる。
【００３７】
また、図３に加えて、図８に示されるレセプタクル端子の斜視図を参照すると、レセプタクル端子３０は、基部３７を介して弾性接触片３１と固定接触片３２を備え、Ｕ字状に形成される。弾性接触片３１は、基板１０から遠い側（上側）にあり、固定接触片３２は基板１０から近い側（下側）にあるように構成される。図３及び図８に示される実施形態の他に、弾性接触片３１は、基板１０から近い側（下側）にあり、固定接触片３２は基板１０から遠い側（上側）にあるように、上下逆に構成することもできる。レセプタクル端子の上下逆の構成に伴い、当然のことながらレセプタクルハウジング２１の内壁の構成も上下逆の構成とすることができる。
【００３８】
レセプタクル端子３０は、導電性の金属から打ち抜いて形成することができる。弾性接触片３１の先端部分には、接点部３３が設けられる。図３及び図８に示される実施形態では、接点部３３は、Ｕ字状のレセプタクル端子３０の内側方向（嵌合方向と端子配列方向との両方向に対して直交した方向）に突出した形状であるが、当該形状に限定されるものではなく、プラグ端子５０の接触面５１に強く当接して電気的接続を維持できる形状であればどのような形状でもよい。また、レセプタクル端子３０は、圧入部３５によってレセプタクルハウジング２１内の樹脂部分に圧入されて、抜けないように固定することができる。そして、レセプタクル端子３０は、基部３７から基板１０に向かって延出した実装部３６によって、実装用パッド２７に半田付け等で実装することができる。
【００３９】
固定接触片３２には、弾性接触片３１と対向する縁部分（Ｕ字状のレセプタクル端子３０の内側の縁部分）であって、被嵌合部３４が接点部３３と実質的に向き合った（斜めに向き合った）先端側の位置に設けられ、圧入部３５が後端側の位置に設けられる。図３及び図８に示される実施形態では、被嵌合部３４は、Ｕ字状のレセプタクル端子３０の内側方向に突出した凸部のような形状であるが、当該形状に限定されるものではなく、プラグ端子５０の嵌合部５３と嵌り合ってコネクタ同士の嵌合状態を維持できる形状であれば、凹部のような形状などどのような形状でもよい。
【００４０】
他方、プラグ端子５０は、図３に示されるように、接触面５１を嵌合凸部４２の一方の側（図３では上側）から露出する。接触面５１は、レセプタクル端子３０の弾性接触片３１に設けられた接点部３３と接触するように構成された比較的強直な（弾性を有さない）面である。もう一方の接触面である弾性面５２は、嵌合凸部４２の他方の側（図３では下側）から露出し、露出した面には嵌合部５３が設けられた弾性を有する面である。嵌合部５３は、レセプタクル端子３０の固定接触片３２に設けられた被嵌合部３４と嵌り合って接触するように構成される。
【００４１】
図３に示す実施形態では、被嵌合部３４が凸部として形成され、嵌合部５３が凹部として形成されているが、これらの形状に限定されるものではなく、被嵌合部３４が凹部として形成され、嵌合部５３が凸部として形成されてもよく、その他、被嵌合部３４と嵌合部５３とが嵌り合うことによって抜去方向（嵌合方向に沿った方向であって、ケーブル側コネクタ４０を基板側コネクタ２０から抜き去る方向。図２から７における左手方向）への抜去力に抗する形状であればどのような形状でもよい。また、図３に示す実施形態では、プラグハウジング４１及びレセプタクルハウジング２１は、プラグ端子５０及びレセプタクル端子３０をそれぞれ４つ含み、プラグ端子５０のすべてに嵌合部５３を備え、レセプタクル端子３０のすべてに被嵌合部３４を備えているが、この実施形態に限定されるものではない。嵌合部５３は、全てのプラグ端子５０に設ける必要はなく、２つ以上のプラグ端子５０のうち少なくとも１つに設けられ、嵌合部５３を設けたプラグ端子５０と接続されるレセプタクル端子３０に被嵌合部３４を設けることができる。
【００４２】
プラグ端子５０はケーブル１２と接続するための芯線カシメ部５４、被覆カシメ部５５（図９参照）を備えており、芯線カシメ部５４は、ケーブル１２の芯線１４とともにカシメることで、芯線１４とプラグ端子５０を圧着させて電気的に接続することができる。そして、プラグ端子５０の後端部分にある被覆カシメ部５５（図９参照）は、ケーブル１２の被覆とともにカシメることで、プラグ端子５０からケーブル１２が抜けないようにすることができる。
【００４３】
プラグハウジング４１は、プラグ端子５０の弾性面５２及び嵌合部５３が露出した側（図３では下側）に、後端部分から先端方向に延出したランス部４５を備える。ランス部４５の先端は、接触面５１と弾性面５２との間のプラグ端子５０の内側に位置し、当該先端部分は弾性面５２の後端側の縁部に近接する位置まで延出する。ランス部４５は、プラグ端子５０の数に応じて、１つ以上設けることができる。
【００４４】
図３に加えて、図９に示されるプラグ端子の斜視図を参照すると、一方の側（図３では上側）に比較的強直な接触面５１を備え、他方の側（図３では下側）の弾性を有する弾性面５２上に嵌合部５３を備える。プラグ端子５０は、導電性の金属から打ち抜いて、打ち抜かれた板状の金属を折り曲げて筒状（棒状）に形成することができる。弾性面５２は、プラグ端子５０の先端側の一方の側壁から延出した部分を折り曲げて形成した面であり、弾性を有する。また、弾性面５２の先端側の縁部には、レセプタクル端子３０に嵌め易くするためのテーパー部５６を設けることができる。同様に、側壁の先端側の端部にも、テーパー部５７を設けることができる。また、先端部５８は、接触面５１の先端側の端部から延出した部分を折り曲げて形成することができ、レセプタクル端子３０の接点部３３との接触をスムースにすることができる。
【００４５】
図４に示されるように、レセプタクルハウジング２１は、嵌合方向に沿って内壁を溝状に形成したレセプタクル係合部２３を備える。レセプタクル係合部２３は、嵌合凹部２２内の内壁であって、弾性接触片３１及び固定接触片３２を露出していない２つの内壁（図３では、基板１０に対して垂直な２つの内壁）にそれぞれ嵌合方向に沿って溝状に形成することができる。また、プラグハウジング４１は、嵌合方向に沿って側壁を畝状に形成したプラグ係合部４３を備える。プラグ係合部４３は、嵌合凸部４２の側壁であって、接触面５１及び弾性面５２（嵌合部５３）を露出していない２つの側壁にそれぞれに形成することができる。つまり、プラグ係合部４３は、嵌合凸部４２からプラグ端子５０の接触面５１及び嵌合部５３を露出した部分を間に挟んだ両側側部にそれぞれ備えられる。
【００４６】
レセプタクル係合部２３は、プラグ係合部４３と係り合うように、嵌合凹部２２の開口部分の溝の幅を狭く形成される。プラグ係合部４３は、レセプタクル係合部２３と係り合うように、畝の中間部分の幅を広く形成される。
【００４７】
図５は、コネクタ装置の接続後の状態を示す上面図である。プラグハウジング４１の嵌合凸部４２が、レセプタクルハウジング２１の嵌合凹部２２に嵌合された状態の断面図を、図６及び図７に示す。具体的には、直線Ａ−Ａでコネクタ装置１を基板１０に対して垂直に切断した断面図を図６に示し、直線Ｂ−Ｂでコネクタ装置１を基板１０に対して垂直に切断した断面図を図７に示す。
【００４８】
図６の断面図に示されるように、プラグ端子５０の一部がレセプタクル端子３０の弾性接触片３１と固定接触片３２との間に配置され、弾性接触片３１に設けられた接点部３３が、弾性力によってプラグ端子５０の一方の側の接触面５１を固定接触片３２側に向けて押し込むことで、他方の側の嵌合部５３が、固定接触片３２に設けられた被嵌合部３４に押し込まれる。このような構成によって、嵌合部５３が、被嵌合部３４に強く嵌め込まれるため、振動等により生じる力が、基板側コネクタ、ケーブル側コネクタ及びケーブル等に加わっても、コネクタ同士の嵌合状態を維持でき、当該コネクタが抜けることを防止することができる。
【００４９】
特に、本実施形態のように、複数のレセプタクル端子３０及びプラグ端子５０を備えたコネクタ装置１においては、当該端子３０、５０の数だけ抜去力を向上させることができるとともに、端子の配列方向において端子３０、５０が配置されている複数の位置でそれぞれ抜去力を高めることができる。したがって、例えば、ケーブル側コネクタ２０に対して嵌合方向に沿った抜去力が加わった場合には複数の端子３０、５０で均等にその抜去力に抗することができ、嵌合方向に対して斜めの抜去力が加わった場合にはある位置の特定の端子３０、５０のみに過大な力が加わることなく抜去力に対しても抗うことができる。
【００５０】
プラグハウジング４１のランス部４５は、弾性を有しているので、レセプタクルハウジング２１のランス受部２８に当接した際に変形し、コネクタ装置１の接続前に接触面５１と弾性面５２との間のプラグ端子５０の内側に位置していたランス部４５の先端は、よりプラグ端子５０の内側（接触面５１側）に移動する。つまり、図６に示す実施形態では、ランス部４５の変形により、その先端は、弾性面５２よりも、より上方に移動する。これにより、コネクタ装置１の接続後に、例えば、ケーブル１２が強く引っ張られて、芯線カシメ部５４及び被覆カシメ部５５によってケーブル１２と圧着接続されたプラグ端子５０自体が後端方向にずらそうとする力が生じたとしても、プラグ端子５０の接触面５１の後端側縁部が、プラグハウジング４１のランス部４５の先端部分に当たるため、プラグ端子５０自体が、プラグハウジング４１から抜けることも防止することができる。
【００５１】
図７の断面図に示されるように、プラグ端子５０の一部がコネクタ装置１の接続時に、プラグ係合部４３の畝の幅の広い部分が、レセプタクル係合部２３の溝の幅の狭い部分を通り過ぎて、プラグ係合部４３とレセプタクル係合部２３が互いに係り合うことで、プラグハウジング４１がレセプタクルハウジング２１から抜けることも防止することができる。
【００５２】
本実施形態では、上述したレセプタクル端子３０及びプラグ端子５０による抜去力の向上に加え、レセプタクルハウジング２１及びプラグハウジング４１による抜去力の向上によってより一層、抜去力を高めることができる。特に、金属製の端子によるものと樹脂製のハウジングによるもののように、その性質、構造を異にするものを１つのコネクタ装置に含めることで、様々な条件において抜去力を高めることができる。
【００５３】
図１０は、本発明の別の実施形態に係るコネクタ装置の接続前の状態を示す図である。コネクタ装置２は、レセプタクルハウジング２１の嵌合凹部２２を、基板１０に対して上方に向けて構成した基板側コネクタ２０’と、ケーブル側コネクタ４０を含む。直線Ａ−Ａでコネクタ装置２を基板１０に対して垂直に切断した断面図を図１１に示し、直線Ｂ−Ｂでコネクタ装置２を基板１０に対して垂直に切断した断面図を図１２に示す。
【００５４】
ケーブル側コネクタ４０の構成は、図１１及び図１２に示されるように、先の実施形態（図１から７等参照）と同様である。基板側コネクタ２０’は、図１１に示されるように、レセプタクル端子３０’の実装部３８の形状が、先の実施形態（図３、図６及び図８等参照）のレセプタクル端子３０の実装部３６の形状と異なる。基板側コネクタ２０’のレセプタクル端子３０’は、弾性接触片３１と固定接触片３２が基板１０に対して垂直方向を向くように構成された実装部３８を含む。レセプタクル端子３０’は、固定接触片３２から基板１０に向かって延出し、基板１０に沿って水平に広がった実装部３８によって、実装用パッド（図示せず）に半田付け等で実装することができる。基板側コネクタ２０’のその他の構成は、先の実施形態（図１から７等参照）と同様である。
【００５５】
本発明の個々の実施形態は、独立した実施形態ではなく、それぞれ組み合わせて適宜実施することができる。
【産業上の利用可能性】
【００５６】
本発明に係るコネクタ装置は、電子機器内の基板間の電気信号伝送等に用いることができる。
【符号の説明】
【００５７】
１，２  コネクタ装置
１０  基板
１２  ケーブル
１４  芯線
２０，２０’  基板側コネクタ（第二コネクタ）
２１  レセプタクルハウジング
２２  嵌合凹部
２３  レセプタクル係合部
２４  ガイド部
２５  補強金具
２６  実装用バッド
２７  実装用バッド
２８  ランス受部
３０，３０’  レセプタクル端子
３１  弾性接触片
３２  固定接触片
３３  接点部
３４  被嵌合部
３５  圧入部
３６  実装部
３７  基部
３８  実装部
４０  ケーブル側コネクタ（第一コネクタ）
４１  プラグハウジング
４２  嵌合凸部
４３  プラグ係合部
４４  位置合わせ部
４５  ランス部
５０  プラグ端子
５１  接触面
５２  弾性面
５３  嵌合部
５４  芯線カシメ部
５５  被覆カシメ部
５６  テーパー部
５７  テーパー部
５８  先端部
【図１】
2018092780.tif 000003
【図２】
2018092780.tif 000004
【図３】
2018092780.tif 000005
【図４】
2018092780.tif 000006
【図５】
2018092780.tif 000007
【図６】
2018092780.tif 000008
【図７】
2018092780.tif 000009
【図８】
2018092780.tif 000010
【図９】
2018092780.tif 000011
【図１０】
2018092780.tif 000012
【図１１】
2018092780.tif 000013
【図１２】
2018092780.tif 000014